(57)【要約】【課題】散水路及びバイパス路の管理が容易で長寿命化を達成できる散水ノズルの提供。【解決手段】ノズル本体１の先端開口部２に、環部材３を嵌入し得る嵌合凹部８を設け、嵌合凹部８に嵌入される環部材３に弁体７が挿通される挿通孔を形成し、弁体７にはノズル本体１の通水路４に設けられた螺合部４ａと螺合する螺子部７ａを設け、環部材３に、弁体７により流量が調整された水が導入される通水路４とノズル本体１の外部とに連通せしめられ水の噴出方向及び噴出角度を規定する散水路６を形成する凹溝を設けて、環部材３を回動させることで散水路６の散水方向を設定し得るように構成し、散水路６に連通するバイパス路11を環部材３に設け、バイパス路11は、一端が散水路６と連通し他端がノズル本体１の外部と連通する環部材３を貫通した直線状の貫通孔で構成する。【選択図】図１
2008229626.tif 000002
【特許請求の範囲】
【請求項１】
ノズル本体の先端開口部に、環部材を嵌入し得る嵌合凹部を設け、この嵌合凹部に嵌入される環部材に弁体が挿通される挿通孔を形成し、前記弁体には前記ノズル本体の通水路に設けられた螺合部と螺合する螺子部を設け、この弁体を前記挿通孔に挿通し前記螺子部を前記螺合部と螺合することで前記弁体の頭部により前記ノズル本体に前記環部材が押さえ込み状態に止着されるように構成し、この環部材に、前記弁体により流量が調整された水が導入される通水路と前記ノズル本体の外部とに連通せしめられ水の噴出方向及び噴出角度を規定する散水路を形成する凹溝を設けて、この環部材を前記嵌合凹部に嵌入する際若しくは前記嵌合凹部に嵌入した状態で前記弁体を軸として回動させることで前記散水路の散水方向を設定し得るように構成し、前記散水路に連通するバイパス路を前記環部材に設け、このバイパス路は、一端が前記散水路と連通し他端がノズル本体の外部と連通する前記環部材を貫通した直線状の貫通孔で構成し、前記散水路からの散水が不能となった際若しくは散水量が減少した際、前記バイパス路を通って外部に排出される水の量が増加するように、水が前記バイパス路を通って外部に排出される際に通過する経路の抵抗は、水が前記散水路を通って外部に排出される際に通過する経路の抵抗より大きくなるように設定したことを特徴とする散水ノズル。
【請求項２】
ノズル本体の先端開口部に、環部材を嵌入し得る嵌合凹部を設け、この嵌合凹部に嵌入される環部材に弁体が挿通される挿通孔を形成し、前記弁体には前記ノズル本体の通水路に設けられた螺合部と螺合する螺子部を設け、この弁体を前記挿通孔に挿通し前記螺子部を前記螺合部と螺合することで前記弁体の頭部により前記ノズル本体に前記環部材が押さえ込み状態に止着されるように構成し、この環部材に、前記弁体により流量が調整された水が導入される通水路と前記ノズル本体の外部とに連通せしめられ水の噴出方向及び噴出角度を規定する散水路を形成する凹溝を設けて、この環部材を前記嵌合凹部に嵌入する際若しくは前記嵌合凹部に嵌入した状態で前記弁体を軸として回動させることで前記散水路の散水方向を設定し得るように構成し、前記散水路に連通するバイパス路を前記環部材に設け、このバイパス路は、一端が前記散水路と連通し他端がノズル本体の外部と連通する前記環部材を貫通した直線状の貫通孔で構成し、前記散水路からの散水が不能となった際若しくは散水量が減少した際、前記バイパス路を通って外部に排出される水の量が増加するように、水が前記バイパス路を通って外部に排出される際に通過する経路の抵抗は、水が前記散水路を通って外部に排出される際に通過する経路の抵抗より大きくなるように設定し、前記バイパス路を通過して外部に排出される水の流れ方向を前記バイパス路の軸方向から前記ノズル本体の周方向に変更する停留部を備えたことを特徴とする散水ノズル。
【請求項３】
ノズル本体の先端開口部に、環部材を嵌入し得る嵌合凹部を設け、この嵌合凹部に嵌入される環部材に弁体が挿通される挿通孔を形成し、前記弁体には前記ノズル本体の通水路に設けられた螺合部と螺合する螺子部を設け、この弁体を前記挿通孔に挿通し前記螺子部を前記螺合部と螺合することで前記弁体の頭部により前記ノズル本体に前記環部材が押さえ込み状態に止着されるように構成し、この環部材に、前記弁体により流量が調整された水が導入される通水路と前記ノズル本体の外部とに連通せしめられ水の噴出方向及び噴出角度を規定する散水路を設けて、この環部材を前記嵌合凹部に嵌入する際若しくは前記嵌合凹部に嵌入した状態で前記弁体を軸として回動させることで前記散水路の散水方向を設定し得るように構成し、前記散水路に連通するバイパス路を前記環部材に設け、このバイパス路は、一端が前記散水路と連通し他端がノズル本体の外部と連通する前記環部材を貫通した直線状の貫通孔で構成し、前記散水路からの散水が不能となった際若しくは散水量が減少した際、前記バイパス路を通って外部に排出される水の量が増加するように、水が前記バイパス路を通って外部に排出される際に通過する経路の抵抗は、水が前記散水路を通って外部に排出される際に通過する経路の抵抗より大きくなるように設定したことを特徴とする散水ノズル。
【発明の詳細な説明】
【技術分野】
【０００１】
本発明は、散水ノズルに関するものである。
【背景技術】
【０００２】
例えば路面に埋設されこの路面の消雪を行う散水ノズルとしては、ノズル本体の先端開口部に、環部材を嵌入し得る嵌合凹部を設け、この環部材に弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を前記挿通孔に挿通し、前記螺子部を螺合部と螺合することで前記ノズル本体に環部材が押さえ込み状態に止着されるように構成したものが一般的である。
【０００３】
ところで、路面に埋設された散水ノズルの散水路には、ゴミ等の異物が詰まりやすく、この詰まった異物により散水が阻害されることがある。
【０００４】
この際、複数の散水路が連通状態に設けられている散水ノズルにおいては、異物が詰まった散水路における散水が阻害される分だけ他の散水路からの散水量が増え、詰まった散水路側の路面の消雪を行うことができず所望の消雪作用を得ることができないだけでなく、前記他の散水路からの散水量が過剰となり、所望の消雪作用を得られないこともあり、前記路面上の雪を効率的に除去することができず、近年問題となっている地下水の組み上げ過剰による地盤沈下等を助長するおそれがあるもは勿論、例えば水が子供の背丈程度の高さまで吹き出すこともあることから、人や車両の通行を阻害することもある。
【０００５】
そこで、上述の問題を解決するために、特許第２７９４７６７号公報（以下、特許文献１という。）に開示されるような散水ノズルが提案されている。この特許文献１に開示されている散水ノズルは、散水路と連通して散水路からの散水を排出し得るバイパス路を設けることで、この散水路に異物が詰まった場合であってもバイパス路から散水を行い、他の詰まりのない散水路からの散水量が増えることを阻止し得るものであるが、このように散水路にバイパス路を設けた場合であっても、このバイパス路が詰まることで結局は上述と同様の現象が生じることになり、根本的な解決には至っていない。
【０００６】
即ち、特許文献１に開示されている散水ノズルは、散水路に異物が詰まったとしてもこのバイパス路から散水を行えるように設定することで、この散水ノズルの取り替え間隔を長くしたものに過ぎず、この詰まりを解消するためには、結局バイパス路につまりが生じる度にこの散水ノズル全体若しくは環部材を交換せざるを得ないのである。
【０００７】
従って、従来は、環部材を取り外すことでこの環部材及びノズル本体のメンテナンスを簡易に行える構成であるにもかかわらず、このメンテナンス性に秀れた構成を十分に生かせていないのが現状である。
【０００８】
【特許文献１】特許第２７９４７６７号公報
【発明の開示】
【発明が解決しようとする課題】
【０００９】
本発明は、上述のような現状に鑑み、環部材を取り外して分解した際、バイパス路の両端部が表面露出状態となるように形成することで、容易にこのバイパス路の清掃を行うことができ、たとえ散水路が異物により詰まったとしてもバイパス路によって良好に散水を行うことができ過剰な散水を阻止できると共に、散水路及びバイパス路の管理が容易で詰まりを簡易に解消することができるため、メンテナンス性が良好な特性を生かして長寿命化を達成できる極めて実用性に秀れた散水ノズルを提供するものである。
【課題を解決するための手段】
【００１０】
添付図面を参照して本発明の要旨を説明する。
【００１１】
ノズル本体１の先端開口部２に、環部材３を嵌入し得る嵌合凹部８を設け、この嵌合凹部８に嵌入される環部材３に弁体７が挿通される挿通孔を形成し、前記弁体７には前記ノズル本体１の通水路４に設けられた螺合部４ａと螺合する螺子部７ａを設け、この弁体７を前記挿通孔に挿通し前記螺子部７ａを前記螺合部４ａと螺合することで前記弁体７の頭部９により前記ノズル本体１に前記環部材３が押さえ込み状態に止着されるように構成し、この環部材３に、前記弁体７により流量が調整された水が導入される通水路４と前記ノズル本体１の外部とに連通せしめられ水の噴出方向及び噴出角度を規定する散水路６を形成する凹溝を設けて、この環部材３を前記嵌合凹部８に嵌入する際若しくは前記嵌合凹部８に嵌入した状態で前記弁体７を軸として回動させることで前記散水路６の散水方向を設定し得るように構成し、前記散水路６に連通するバイパス路11を前記環部材３に設け、このバイパス路11は、一端が前記散水路６と連通し他端がノズル本体１の外部と連通する前記環部材３を貫通した直線状の貫通孔で構成し、前記散水路６からの散水が不能となった際若しくは散水量が減少した際、前記バイパス路11を通って外部に排出される水の量が増加するように、水が前記バイパス路11を通って外部に排出される際に通過する経路の抵抗は、水が前記散水路６を通って外部に排出される際に通過する経路の抵抗より大きくなるように設定したことを特徴とする散水ノズルに係るものである。
【００１２】
また、ノズル本体１の先端開口部２に、環部材３を嵌入し得る嵌合凹部８を設け、この嵌合凹部８に嵌入される環部材３に弁体７が挿通される挿通孔を形成し、前記弁体７には前記ノズル本体１の通水路４に設けられた螺合部４ａと螺合する螺子部７ａを設け、この弁体７を前記挿通孔に挿通し前記螺子部７ａを前記螺合部４ａと螺合することで前記弁体７の頭部９により前記ノズル本体１に前記環部材３が押さえ込み状態に止着されるように構成し、この環部材３に、前記弁体７により流量が調整された水が導入される通水路４と前記ノズル本体１の外部とに連通せしめられ水の噴出方向及び噴出角度を規定する散水路６を形成する凹溝を設けて、この環部材３を前記嵌合凹部８に嵌入する際若しくは前記嵌合凹部８に嵌入した状態で前記弁体７を軸として回動させることで前記散水路６の散水方向を設定し得るように構成し、前記散水路６に連通するバイパス路11を前記環部材３に設け、このバイパス路11は、一端が前記散水路６と連通し他端がノズル本体１の外部と連通する前記環部材３を貫通した直線状の貫通孔で構成し、前記散水路６からの散水が不能となった際若しくは散水量が減少した際、前記バイパス路11を通って外部に排出される水の量が増加するように、水が前記バイパス路11を通って外部に排出される際に通過する経路の抵抗は、水が前記散水路６を通って外部に排出される際に通過する経路の抵抗より大きくなるように設定し、前記バイパス路11を通過して外部に排出される水の流れ方向を前記バイパス路11の軸方向から前記ノズル本体１の周方向に変更する停留部10ａを備えたことを特徴とする散水ノズルに係るものである。
【００１３】
また、ノズル本体１の先端開口部２に、環部材３を嵌入し得る嵌合凹部８を設け、この嵌合凹部８に嵌入される環部材３に弁体７が挿通される挿通孔を形成し、前記弁体７には前記ノズル本体１の通水路４に設けられた螺合部４ａと螺合する螺子部７ａを設け、この弁体７を前記挿通孔に挿通し前記螺子部７ａを前記螺合部４ａと螺合することで前記弁体７の頭部９により前記ノズル本体１に前記環部材３が押さえ込み状態に止着されるように構成し、この環部材３に、前記弁体７により流量が調整された水が導入される通水路４と前記ノズル本体１の外部とに連通せしめられ水の噴出方向及び噴出角度を規定する散水路６を設けて、この環部材３を前記嵌合凹部８に嵌入する際若しくは前記嵌合凹部８に嵌入した状態で前記弁体７を軸として回動させることで前記散水路６の散水方向を設定し得るように構成し、前記散水路６に連通するバイパス路11を前記環部材３に設け、このバイパス路11は、一端が前記散水路６と連通し他端がノズル本体１の外部と連通する前記環部材３を貫通した直線状の貫通孔で構成し、前記散水路６からの散水が不能となった際若しくは散水量が減少した際、前記バイパス路11を通って外部に排出される水の量が増加するように、水が前記バイパス路11を通って外部に排出される際に通過する経路の抵抗は、水が前記散水路６を通って外部に排出される際に通過する経路の抵抗より大きくなるように設定したことを特徴とする散水ノズルに係るものである。
【発明の効果】
【００１４】
本発明は上述のように構成したから、たとえ散水路が異物により詰まったとしてもバイパス路によって良好に散水を行うことができ過剰な散水を阻止できると共に、散水路及びバイパス路の管理が容易で詰まりを簡易に解消することができるため、メンテナンス性が良好な特性を生かして長寿命化を達成できる極めて実用性に秀れた散水ノズルとなる。
【発明を実施するための最良の形態】
【００１５】
好適と考える本発明の実施形態（発明をどのように実施するか）を、図面に基づいてその作用を示して簡単に説明する。
【００１６】
路面に埋設したノズル本体１の環部材３に形成された散水路６から散水して路面の消雪を行うことで、砂利等の異物がノズル本体１の散水路６に詰まったとしても、この散水路６と連通するバイパス路11を通じてノズル本体１の外部に水を排出することができ、この散水路６に異物が詰まることによって生じる、異物が詰まっていない散水路６からの過剰な散水を確実に阻止することができる。
【００１７】
しかも、前記散水路６が詰まっても良好な散水を行うことができるだけでなく、バイパス路11が詰まった場合でも、環部材３をノズル本体１から取り外して分解することで、単にこのバイパス路11の一端部側から他端部側に詰まった異物を押動するだけでこのバイパス路11に詰まった異物を簡単に除去することができることになる。
【００１８】
従って、バイパス路11を簡単に手入れすることができるから、ノズル本体１と環部材３との着脱が容易でメンテナンス性に秀れた環部材着脱タイプの特長を十分に生かすことができ、バイパス路11に異物が詰まる度にノズル本体１若しくは環部材３を新しいものに交換する必要がなく散水ノズルの長寿命化を達成できる。
【００１９】
また、バイパス路11は直線状の貫通孔としたから、直線状の棒状体をバイパス路11に挿入するだけでこのバイパス路11に詰まった異物を極めて簡単に除去できることになる。
【００２０】
従って、本発明は、たとえ散水路が異物により詰まったとしてもバイパス路によって良好に散水を行うことができ過剰な散水を阻止できると共に、このバイパス路の管理が容易で詰まりを簡易に解消することができるため、メンテナンス性が良好な特性を生かして長寿命化を達成できる極めて実用性に秀れた散水ノズルとなる。
【実施例】
【００２１】
本発明の具体的な実施例について図面に基づいて説明する。
【００２２】
本実施例は、ノズル本体１の先端開口部２に、環部材３を嵌入し得る嵌合凹部８を設け、この嵌合凹部８に下側環部材３ａを嵌入すると共に、この下側環部材３ａに上側環部材３ｂを嵌入し、この下側環部材３ａ及び上側環部材３ｂには弁体７が挿通される挿通孔14，15を夫々形成し、この上側環部材３ｂの挿通孔15には前記弁体７の頭部９の係止部９ａが係止する係止段部15ａを設け、この弁体７には前記ノズル本体１の通水路４に設けられた螺合部４ａと螺合する螺子部７ａを設け、弁体７を前記挿通孔14，15に挿通し、前記螺子部７ａを螺合部４ａと螺合することで前記ノズル本体１に環部材３が押さえ込み状態に止着されるように構成し、この下側環部材３ａと上側環部材３ｂとの間には、弁体７により流量が調整された水が導入される通水路４及びノズル本体１の外部と連通して水の噴出方向及び噴出角度を規定する散水路６を形成し、前記下側環部材３ａにこの散水路６と連通するバイパス路11を設け、このバイパス路11は、一端が前記散水路６と連通し他端がノズル本体１の外部と連通する前記環部材３の内周面から外周面に貫通した直線状の貫通孔で構成して、散水路６からの散水が不能となった際若しくは散水量が減少した際、バイパス路11を通って外部に排出される水の量が増加するように構成すると共に、環部材３をノズル本体１から取り外した際、バイパス路11の両端部が露出状態となるように構成したものである。
【００２３】
即ち、本実施例は、環部材３（下側環部材３ａ）に散水路６だけでなくこの散水路６と連通するバイパス路11を設け、このバイパス路11により散水路６が詰まっても良好な散水を行うことができると共に、仮にこの散水路６及びバイパス路11が詰まった場合でもこの散水路６及びバイパス路11を簡単に清掃して詰まりを解消することができ、環部材３を容易に着脱できる構成、即ち、メンテナンス性に秀れた構成を生かして散水ノズルの長寿命化を達成できるものである。尚、上側環部材３ｂにバイパス路11を設ける構成としても良い。
【００２４】
具体的には、バイパス路11は、その一端が前記散水路６と連結し、他端が前記下側環部材３ａの外周面とノズル本体１の嵌合凹部８の内周面との間にして前記ノズル本体１の外部と連通する膨大空間部10に連結するように構成している。
【００２５】
散水路６は、下側環部材３ａの内周面と上側環部材３ｂの外周面との間に設けた構成である。具体的には、下側環部材３ａの内周面と前記上側環部材３ｂの外周面とに夫々上方ほど径大となるテーパ面18，19を夫々対向状態に設け、このテーパ面18，19に散水路６を設けた構成である。従って、環部材３を取り外して分解するだけで清掃を容易に行うことができる。
【００２６】
更に具体的に説明すると、このテーパ面18，19は下側環部材３ａの内周面及び上側環部材３ｂの外周面の上部に夫々設けられ、この上側環部材３ｂの外周面に、その下端部から上端部に延びる直線状の凹溝20を設け、この凹溝20と前記下側環部材３ａの内周面とで散水路６を形成し、この凹溝20の下端側から弁体７を通った水を導入し、上端側から散水するように構成している。
【００２７】
従って、環部材３に孔を穿設する必要なく散水路６を構成できると共に、この環部材３をノズル本体１から取り外して、下側環部材３ａと上側環部材３ｂとに分解することで、この散水路６の清掃を極めて容易に行うことができる。
【００２８】
また、散水路６はノズル本体１の先端から複数方向に同時に散水し得るように構成している。即ち、下側環部材３ａの内周面と上側環部材３ｂの外周面との間に複数設けることで、効率良く消雪等のための散水を行える構成である。具体的には、所定間隔で複数設けた構成である。本実施例においては、９０度間隔で４カ所に設けた構成としている。
【００２９】
膨大空間部10は、ノズル本体１の嵌合凹部８の内周面と下側環部材３ａの外周面との間に設けられ、この膨大空間部10のノズル本体１の嵌合凹部８の上端部内周面と下側環部材３ａの上端部外周面とは夫々テーパ面に設定され、このテーパ面間の空隙10ｂを通じて、前記バイパス路11を通った水が外部に排出されるように構成している。
【００３０】
また、本実施例においては、この膨大空間部10を、前記ノズル本体１の嵌合凹部８の内周面と前記下側環部材３ａの外周面との間の一部分ではなく全周に設け、前記バイパス路11を通過する水がノズル本体１の周囲に滲み排出されるように構成している。
【００３１】
従って、バイパス路11は、前記下側環部材３ａと上側環部材３ｂとの間に設けた散水路６と、前記ノズル本体１の嵌合凹部８の内周面と、下側環部材３ａの外周面との間に設けた膨大空間部10とを連通する構成、即ち、下側環部材３ａの内周面から外周面に貫通する貫通孔に設定している。この貫通孔は、前記散水路６を構成する凹溝20に対応して９０度間隔で４カ所に設けている。尚、本実施例においては、バイパス路11を通る水は膨大空間部10を通過してノズル本体１の外部に排出される構成であるが、バイパス路11を、上側環部材３ｂの外周面から上面に貫通する貫通孔に設定し、直接ノズル本体１の外部と連通する構成としても良い。
【００３２】
具体的には、下側環部材３ａに、一端がこの下側環部材３ａの内周面に開口し、他端がこの下側環部材３ａの外周面に開口する直線孔を穿設し、この直線孔は一端側から他端側に向かって下り傾斜するように設定し、この直線孔を散水路６及びノズル本体１の外部と連通する前記バイパス路11に設定している。
【００３３】
従って、バイパス路11は、ノズル本体１から環部材３を取り外してこの環部材３を下側環部材３ａと上側環部材３ｂとに分解するだけで、その両端部が下側環部材３ａの内周面及び外周面に露出し、バイパス路11に異物が詰まってもこのバイパス路11の一端部側から他端部側に向かってこの異物を押動するだけで簡単に除去することができる。
【００３４】
尚、本実施例においては、上述のように上側環部材３ｂの外周面に凹溝20を形成しているが、図７に図示した別例のように、下側環部材３ａの内周面にしてこの下側環部材３ａに設けるバイパス路11と連通する位置に（下部所定位置若しくは下端部から上端部に延びる直線状の）凹溝20を形成し、上側環部材３ｂの外周面とこの凹溝20とで散水路６を形成するように構成しても良い。この場合には、凹溝20とバイパス路11とが上側環部材３ｂと下側環部材３ａとに夫々別々に設けられず、下側環部材３ａに予め連通状態で設けられることになるから、凹溝20とバイパス路11との位置合わせを行う必要がなく、より作業性に秀れ、更に、下側環部材３ａだけを加工すれば良いため、生産性にも秀れることになり、それだけコスト安となる。
【００３５】
また、本実施例は、このバイパス路11を通過した水を、ノズル本体１の嵌合凹部８の内周面と下側環部材３ａの外周面との間の膨大空間部10に一旦停留した後外部に排出する構成である。
【００３６】
具体的には、前記下側環部材３ａのバイパス路11の前記他端の開口部及びノズル本体１の嵌合凹部８の前記他端の開口部と対向する部分をやや凹む凹部に設定し、この凹部同志で形成される空間をバイパス路11を通過して外部に排出される水が停留する停留部10ａに設定し、バイパス路11から導入される水が一旦この停留部において、その流れる方向をバイパス路11の軸方向から、ノズル本体１の周方向（膨大空間部10の延設方向）に変更された後、膨大空間部10の空隙10ｂからノズル本体１の周囲に水を滲み排出するように構成している。
【００３７】
従って、一つのバイパス路11を通過する水は、膨大空間部10を通じてノズル本体１の全周に排出される構成であり、このバイパス路11を流れる水が多くても、この水が周囲に少しずつ滲み排出されるように設定することができる。
【００３８】
また、本実施例は、水が前記バイパス路11を通って外部に排出される際に通過する経路の抵抗は、水が前記散水路６を通って外部に排出される際に通過する経路の抵抗より大きく設定され、散水路６からの散水が正常に行える場合には、このバイパス路11を通って外部に排出される水の量は少なく、この散水路６に異物が詰まるなどして散水が不能となったり散水量が減少した場合には、バイパス路11を通って外部に排出される水の量が多くなるように設定している。
【００３９】
具体的には、前記膨大空間部10の空隙10ｂの面積を散水路６の面積より小さくなるように設定することで、バイパス路11を通ってノズル本体１の外部に排出される際に通過する経路の抵抗が大きくなるように設定し、散水路６からの散水量が多くなるように設定している。
【００４０】
従って、本実施例においては、散水路６からの散水が阻害された場合、この散水路６と連通するバイパス路11を通って外部に排出される水の量を増加させることができ、このバイパス路11からの排出により、良好に水を排出して散水が阻害されていない他の散水路６からの散水量の過剰な増加を確実に阻止できる構成である。
【００４１】
各部を具体的に説明する。
【００４２】
ノズル本体１は、先端開口部２に、環部材３を嵌入し得る嵌合凹部８を設けた構成である。嵌合凹部８に嵌入される環部材３は、嵌合凹部８に嵌合する下側環部材３ａと、下側環部材３ａに嵌入される上側環部材３ｂであり、この下側環部材３ａの外周面の上部と上側環部材３ｂの内周面の上部とを夫々、上方ほど径大となるテーパ面18，19に設定し、上側環部材３ｂの外周面と対向状態に設けられる下側環部材３ａの内周面により、上側環部材３ｂを支承し得る構成である。尚、このテーパ面18，19は下側環部材３ａや上側環部材３ｂの上部でなくその一部に設けた構成としても良いし、全体をテーパ面に設定しても良い。
【００４３】
従って、上側環部材３ｂの挿通孔15に挿通される弁体７により、下側環部材３ａごとノズル本体１に押さえ込み止着できる構成である。
【００４４】
具体的には、上側環部材３ａの挿通孔15には前記弁体７の頭部９の係止部９ａが係止する係止段部15ａを設け、この弁体７の先端部には前記ノズル本体１の通水路４略中央部に設けられた螺合部４ａと螺合する螺子部７ａを設け、この螺子部７ａを螺合部４ａに螺合することで環部材３をノズル本体１に押さえ込み止着できるように構成している。
【００４５】
弁体７は、側面に開口部22を設け、内部にこの開口部22と連通する一端から他端に向かって徐々に幅広となる流量規制溝21ａが設けられた弁杆21を設けた構成であり、この弁杆21の頭部に設けられた係止溝23にドライバー等の適宜な工具を挿入して、この弁杆21を回動させることにより流量規制溝21ａと開口部22との連通面積を可変することで通水路４から散水路６に流れる水の流量を制御し得る構成である。尚、図中符号24は、ドライバー等を挿入し得る挿入孔24ａを有するゴム栓，26はシール部材としてのＯリング，27は送水管と連結するゴムスリーブ，28は弁杆21を弁体７に回動自在に保持するためのスプリングピン，29は弁体７を固定するための固定用部材，31は弁杆21の頭部キャップである。
【００４６】
また、本実施例は、弁体７を軸として回動する上側環部材３ｂと前記ノズル本体１とに回り止め係止部12，13を夫々設け、前記上側環部材３ｂに設けた回り止め係止部12が前記ノズル本体１に設けた回り止め係止部13に突き当たり係止することで、前記上側環部材３ｂの過回動を阻止し得るように構成している。
【００４７】
即ち、前記回り止め係止部12，13を、ノズル本体１と上側環部材３ｂとの間に設けた構成であり、具体的には、上側環部材３ｂに設けた回り止め係止部12は、この上側環部材３ｂの下端部に設けられ、この上側環部材３ｂを下側環部材３ａに嵌入した際、この下側環部材３ａの挿通孔14から下方に突出するように設定されている。また、ノズル本体１に設けた回り止め係止部13は、螺合部４ａの上方位置にして、前記挿通孔14から突出する前記上側環部材３ｂに設けた回り止め係止部12と係止する位置に設けている。
【００４８】
本実施例においては、前記ノズル本体１の回り止め係止部12として、上側環部材３ｂの下端部（即ち挿通孔15の周縁部）に凸部を対向状態に一対設け、上側環部材３ｂの回り止め係止部13として、ノズル本体１の通水路４にして嵌合凹部８と螺合部４ａとの間に径小部を設け、この径小部に、前記上側環部材３ｂ側に突出する凸部を前記回り止め係止部12が略嵌合し得る間隔で複数設けている。
【００４９】
従って、ノズル本体１の回り止め係止部12を上側環部材３ｂの回り止め係止部13間に嵌入する際、環部材３を任意の向きで嵌入することで、この上側環部材３ｂの回動を確実に阻止して確実に所望の方向に散水し得る構成としている。
【００５０】
尚、上側環部材３ｂを、前記嵌合凹部８に嵌入された状態で前記上側環部材３ｂに設けた回り止め係止部12が前記ノズル本体１に設けた回り止め係止部13に突き当たり係止するまでの所定範囲を自在に回動させて前記水の噴出方向を変更し得るように構成しても良く、この場合には、過回動を阻止するだけでなく、上側環部材３ｂを回動させて散水方向をより簡単に変更できることになる。
【００５１】
従って、ノズル本体１が路面に埋設され、車両等によりこの上側環部材３ｂが回動することで弁体７の螺子部７ａと螺合部４ａとの螺着が緩んでしまうことが確実に阻止され、一層安全性に秀れたものとなるのは勿論、この上側環部材３ｂを容易に回動させて散水路６により散水方向を変更することができる作業性に秀れたものとなる。
【００５２】
本実施例は更に、前記下側環部材３ａ若しくは上側環部材３ｂの回動を阻止する回り止め機構30を、この下側環部材３ａと上側環部材３ｂとの間に設けた構成である。
【００５３】
具体的には、下側環部材３ａと上側環部材３ｂとを凹凸係合関係により一体化して下側環部材３ａの回動を阻止するように構成している。即ち、下側環部材３ａの内周面と上側環部材３ｂの外周面に夫々凹凸係合する係合部30を設け、この係合部30を回り止め機構30に設定している。
【００５４】
本実施例においては、図４に図示したように、下側環部材３ａの内周面（の前記テーパ面18）に凸部30ａを設け、この凸部30ａが嵌合する凹部30ｂを上側環部材３ｂの外周面（の前記テーパ面19）に設けた構成としているが、図５に図示したように、下側環部材３ａの内周面に凹部30ｂを設け、上側環部材３ｂの外周面に凸部30ａを設けた構成としても良い。
【００５５】
尚、前記回り止め機構30として、図６に図示したように、下側環部材３ａの内周面と上側環部材３ｂの外周面とに対向状態に夫々凹部30ｂを設け、この凹部30ｂ同志を連結する連結ピン30ｃを設けこの下側環部材３ａ若しくは上側環部材３ｂの回動を阻止する構成等、他の構成を採用しても良い。また、下側環部材３ａに設けた回り止め係止部と、上側環部材３ｂに設けた回り止め係止部とが、所定範囲回動することで突き当たり係止する構成を採用しても良い。
【００５６】
本実施例は、上側環部材３ｂとノズル本体１との間に回り止め係止部を設け、上側環部材３ｂにより下側環部材３ａの回動を阻止する構成であるが、下側環部材３ａとノズル本体１との間に回り止め係止部を設け、下側環部材３ａにより上側環部材３ｂの回動を阻止する構成としても良い。
【００５７】
本実施例は上述のように構成したから、路面に埋設したノズル本体１の環部材３に形成された散水路６から散水して路面の消雪を行うことで、砂利等の異物がノズル本体１の散水路６に詰まったとしても、この散水路６と連通するバイパス路11を通じてノズル本体１の外部に水を排出することができ、この散水路６に異物が詰まることによって生じる、異水路６からの過剰な散水を確実に阻止することができる。
【００５８】
しかも、前記散水路６が詰まっても良好な散水を行うことができるだけでなく、バイパス路11が詰まった場合でも、環部材３をノズル本体１から取り外して分解することで、単にこのバイパス路11の一端部側から他端部側に詰まった異物を押動するだけでこのバイパス路11に詰まった異物を簡単に除去することができることになる。
【００５９】
更に、散水路６を、下側環部材３ａと上側環部材３ｂとの間に設けているから、バイパス路11と同様に単にノズル本体１から環部材３を取り外し、この環部材３を上下の部材に分解するだけでこの散水路６の清掃も行うことができる。
【００６０】
従って、下側環部材３ａに形成されたバイパス路11及び散水路６を簡単に手入れすることができるから、ノズル本体１と環部材３との着脱が容易でメンテナンス性に秀れた環部材着脱タイプの特長を十分に生かすことができ、バイパス路11に異物が詰まる度にノズル本体１若しくは環部材３を新しいものに交換する必要がなく散水ノズルの長寿命化を達成できる。
【００６１】
また、前記下側環部材３ａに前記散水路６とノズル本体１の外部とを連設する直線孔を穿設し、この直線孔を散水路６に設定したから、直線状の棒状体をバイパス路11に挿入するだけでこのバイパス路11に詰まった異物を極めて簡単に除去できることになる。
【００６２】
また、前記下側環部材３ａに、一端がこの下側環部材３ａの内周面に開口し、他端がこの下側環部材３ａの外周面に開口する貫通孔を穿設し、この貫通孔は一端側から他端側に向かって下り傾斜するように設定し、この貫通孔を前記バイパス路11に設定し、このバイパス路11を通過した水が外部に流出する際に通過するノズル本体１の嵌合凹部８の内周面と下側環部材３ａの外周面との間の膨大空間部10を設けたから、この下側環部材３ａの外周面とノズル本体１の嵌合凹部８の内周面との間から水を排出することができ、バイパス路11を通過した水をこのノズル本体１の周囲に排出することができ、所定部位からの過剰な散水を確実に阻止できる。
【００６３】
また、弁体７を軸として回動する上側環部材３ｂと前記ノズル本体１とに回り止め係止部12，13を夫々設け、前記上側環部材３ｂに設けた回り止め係止部12が前記ノズル本体１に設けた回り止め係止部13に突き当たり係止することで、前記上側環部材３ｂの過回動を阻止し得るように構成したから、路面に埋設され、車両等によりこの上側環部材３ｂが回動することで弁体７の螺子部７ａと螺合部４ａとの螺着が緩んでしまうことが確実に阻止され、一層安全性に秀れたものとなる。
【００６４】
また、前記下側環部材３ａ若しくは上側環部材３ｂの回動を阻止する回り止め機構を、この下側環部材３ａと上側環部材３ｂとの間に設けたから、下側環部材３ａ若しくは上側環部材３ｂの回動を確実に阻止することができ、環部材３のガタつき及びそれに伴う螺着の緩みを確実に阻止することができる一層安全性に秀れたものとなる。
【００６５】
従って、本実施例は、たとえ散水路が異物により詰まったとしてもバイパス路によって良好に散水を行うことができ過剰な散水を阻止できると共に、このバイパス路の管理が容易で詰まりを簡易に解消することができるため、メンテナンス性が良好な特性を生かして長寿命化を達成できる極めて実用性に秀れた散水ノズルとなる。
【００６６】
本発明は、本実施例に限られるものではなく、各構成要件の具体的構成は適宜設計し得るものである。
【図面の簡単な説明】
【００６７】
【図１】本実施例の説明断面図である。
【図２】本実施例の分解説明斜視図である。
【図３】本実施例の説明平面図である。
【図４】本実施例の回り止め機構の説明断面図である。
【図５】別例の回り止め機構の説明断面図である。
【図６】別例の回り止め機構の説明断面図である。
【図７】別例の分解説明斜視図である。
【符号の説明】
【００６８】
１  ノズル本体
２  先端開口部
３  環部材
４  通水路
４ａ  螺合部
６  散水路
７  弁体
７ａ  螺子部
８  嵌合凹部
９  頭部
10ａ  停留部
11  バイパス路
【図１】
2008229626.tif 000003
【図２】
2008229626.tif 000004
【図３】
2008229626.tif 000005
【図４】
2008229626.tif 000006
【図５】
2008229626.tif 000007
【図６】
2008229626.tif 000008
【図７】
2008229626.tif 000009